(57)【要約】【課題】破損が防止されると共に短くされたロック片を有するカバーを備えて小型・軽量化を図ることができる良好なヒューズを提供する。【解決手段】ヒュージブルリンク３１は、ヒューズ本体３２を上方開口部４５から収容保持する絶縁樹脂製のハウジング３３と、該ハウジング３３の上方開口部４５を覆う絶縁樹脂製のカバー３４とを備える。カバー３４が、ハウジング３３の上方開口部４５を覆う蓋体３５と、該蓋体３５の相対する端縁に垂設されてハウジング３３の周壁に突設された係止用突起４６に係止される一対のロック片３６，３６とを有している。蓋体３５には、各ロック片３６が各係止用突起４６に対して解除方向に変位するように該蓋体３５を弾性的に撓み変形可能とする脆弱部３７が形成されている。【選択図】　　　　図１
2004006121.tif 000002
【特許請求の範囲】
【請求項１】
ヒューズ本体を上方開口部から収容保持する絶縁樹脂製のハウジングと、該ハウジングの上方開口部を覆う絶縁樹脂製のカバーとを備えたヒューズであって、
前記カバーが、前記ハウジングの上方開口部を覆う蓋体と、該蓋体の相対する端縁に垂設されて前記ハウジングの周壁に突設された係止用突起に係止される一対のロック片とを有しており、
前記蓋体には、前記各ロック片が前記各係止用突起に対して解除方向に変位するように該蓋体を弾性的に撓み変形可能とする脆弱部が形成されていることを特徴とするヒューズ。
【請求項２】
前記脆弱部が、前記蓋体の内面に形成された切欠き溝から成ることを特徴とする請求項１に記載のヒューズ。
【発明の詳細な説明】
【０００１】
【発明の属する技術分野】
本発明は自動車等の電気回路を保護する為に用いられるヒューズに関し、特に、カバーを備えたハウジング内にヒューズ本体が収容保持されたヒューズの改良に関するものである。
【０００２】
【従来の技術】
図６及び図７は、自動車等の電気回路を保護する為に用いられるヒューズの従来例を示したものである。
図６及び図７に示したヒュージブルリンク１は、金属板で形成されたヒューズ本体２と、該ヒューズ本体２を矩形状の上方開口部から収容保持する絶縁樹脂製のハウジング３と、該ハウジング３の上方開口部を覆う絶縁樹脂製のカバー４とから構成された所謂差し込み式ヒューズである。
【０００３】
前記ヒューズ本体２は、図７に示したように、溶断部１０ａを有する略帯状の可溶導体部１０と、この可溶導体部１０の両端に設けられてヒューズ装着部１３側の回路における相手側タブ端子１５を嵌合接続する一対の雌端子部１１，１１とを金属板で一体形成したものである。
【０００４】
前記カバー４は、略矩形板状の蓋体５と、該蓋体５の相対する端縁に垂設された一対のロック片６，６とを、透明プラスチックにより一体成形したものである。前記ロック片６に対応するハウジング３の周壁には、係止用突起７が突設されており、可撓性を有するこれら一対のロック片６，６を係止することで、該ハウジング３の上方開口部を覆った状態にカバー４をロックする構造となっている。
【０００５】
そして、前記ヒュージブルリンク１は、図７に示したように、リレーボックス等の電気接続箱に形成されたヒューズ装着部１３に装着され、ヒューズ本体２が相手側タブ端子１５と電気的に接続された状態となる。前記ヒューズ装着部１３には、装着時の挿入案内と共に装着後のヒュージブルリンク１のブレ等を防止する為、前記ハウジング３を支持するヒューズガイド壁１４が設けられている。
【０００６】
ところで、近年、電気接続箱の小型・軽量化やコストダウンの要求が高まっており、これに伴ってヒューズの小型・軽量化も望まれている。
そこで、例えば図８に示したヒュージブルリンク２１のように、ヒューズ本体２２及びハウジング２３を小型化（高さ寸法削減）すれば、図７に示した従来のヒュージブルリンク１に比べて大幅に小型・軽量化することが可能である。
更に、ヒュージブルリンク２１が小型化されて高さ寸法が削減されることにより、電気接続箱のカバーを低くでき、電気接続箱の小型・軽量化も達成される。
【０００７】
尚、前記ヒューズ本体２２は、可溶導体部２８が溶断した際の二次ショート等を防止しなければならず、一対の雌端子部２９，２９の間隔を更に狭めることが難しい。
そこで、ヒューズ本体２２及びハウジング２３の水平方向の寸法及び形状は、上記ヒュージブルリンク１のヒューズ本体２及びハウジング３の水平方向の寸法及び形状と実質的に同じであり、ハウジング２３の周壁に突設された係止用突起２７にロック片２６が係止されてロックされるカバー２４は、ヒュージブルリンク１のカバー４と同形状とされている。
【０００８】
【発明が解決しようとする課題】
ところが、前記ヒュージブルリンク２１の場合、図８に示したように、リレーボックス等の電気接続箱に形成されたヒューズ装着部１３に装着しようとすると、ロック片２６がヒューズガイド壁１４の上端縁に干渉し、そのままではヒューズ装着部１３の正規位置に装着することができない。
そこで、ヒューズガイド壁１４の高さを低くしたり、干渉を防止する切欠き部を設けるなどの対策が必要になるが、この様なヒューズガイド壁１４に関する対策は電気接続箱本体を成形する成形金型の変更や複雑化を招き、大幅なコストアップを招いてしまう。
【０００９】
また、カバー２４のロック片２６を短くし、ヒューズガイド壁１４の上端縁との干渉を防止した場合、該ロック片２６は係止用突起２７を乗り越える際に撓み難くなってしまう。尚、係止用突起２７の高さを低くしてロック片２６が乗り越え易くすると、十分な係止力が得られずにカバー２４が外れ易くなってしまう。
そこで、ロック片２６が短くなって撓み難くなると、カバー２４が嵌まり難くなったり、過大な力が作用する該ロック片２６の基部に破損が生じる可能性がある。
【００１０】
従って、本発明の目的は上記課題を解消することに係り、破損が防止されると共に短くされたロック片を有するカバーを備えて小型・軽量化を図ることができる良好なヒューズを提供することである。
【００１１】
【課題を解決するための手段】
本発明の上記目的は、ヒューズ本体を上方開口部から収容保持する絶縁樹脂製のハウジングと、該ハウジングの上方開口部を覆う絶縁樹脂製のカバーとを備えたヒューズであって、前記カバーが、前記ハウジングの上方開口部を覆う蓋体と、該蓋体の相対する端縁に垂設されて前記ハウジングの周壁に突設された係止用突起に係止される一対のロック片とを有しており、前記蓋体には、前記各ロック片が前記各係止用突起に対して解除方向に変位するように該蓋体を弾性的に撓み変形可能とする脆弱部が形成されていることを特徴とするヒューズにより達成される。
【００１２】
上記構成によれば、カバーのロック片が短くされた場合にも、蓋体自体が脆弱部において弾性的に撓み変形することで、各ロック片はハウジングの周壁に突設された各係止用突起に対して解除方向に変位することができる。
そこで、各係止用突起を乗り越える為に変位させられるロック片自体には、過大な力が作用することはなく、破損を防止することができる。
従って、ロック片が短いカバーを備えたコンパクトなヒューズを得ることができる。
【００１３】
尚、好ましくは前記脆弱部が、前記蓋体の内面に形成された切欠き溝から成る。
この場合、蓋体に切欠き溝を一体形成するだけで、該蓋体を弾性的に撓み変形可能とする脆弱部をカバーに容易に形成することができる。又、この切欠き溝の幅及び深さを適宜設定することで、ロック片の係止力を任意に調整できる。
【００１４】
【発明の実施の形態】
以下、添付図面に基づいて本発明の一実施形態に係るヒューズを詳細に説明する。
図１は本発明の一実施形態に係るヒューズの分解斜視図、図２は図１に示したヒューズにおけるカバーの内面側斜視図、図３は図１に示したハウジングにカバーを取付ける際の作用を説明する部分断面正面図、図４は図１に示したヒューズをヒューズ装着部に装着した状態を示す部分断面図である。
【００１５】
本実施形態のヒュージブルリンク１は、図１に示したように、金属板で形成されたヒューズ本体３２と、該ヒューズ本体３２を矩形状の上方開口部４５から収容保持する絶縁樹脂製のハウジング３３と、該ハウジング３３の上方開口部４５を覆う絶縁樹脂製のカバー３４とから構成された所謂差し込み式ヒューズである。
【００１６】
前記ヒューズ本体３２は、図１に示したように、溶断部４０ａを有する略帯状の可溶導体部４０と、この可溶導体部４０の両端に設けられてヒューズ装着部１３側の回路における相手側タブ端子１５を嵌合接続する一対の雌端子部４１，４１とを金属板で一体形成したものである。
【００１７】
前記カバー３４は、図１及び図２に示したように、略矩形板状の蓋体３５と、該蓋体３５の相対する端縁に垂設された一対のロック片３６，３６とを、透明プラスチックにより一体成形したものである。尚、このカバー３４のロック片３６は、図６に示した前記カバー４のロック片６に比べて、著しく短く構成されている。
【００１８】
前記ロック片３６に対応する前記ハウジング３３の周壁上部には、係止用突起４６が突設されており、これら一対のロック片３６，３６を係止することで、該ハウジング３３の上方開口部４５を覆った状態にカバー３４をロックする構造となっている。
【００１９】
又、前記蓋体３５の内面には、図２に示したように、前記各ロック片３６が前記各係止用突起４６に対して解除方向に変位するように該蓋体３５を弾性的に撓み変形可能とする脆弱部３７が形成されている。
本実施形態に係る前記脆弱部３７は、前記蓋体３５の周縁に沿って内面側に突設された補強リブ３８の一部を切り欠くことに形成された切欠き溝から成る。
【００２０】
即ち、蓋体３５における一対のロック片３６，３６の間を通る中心線Ｓ上に位置する前記補強リブ３８の２箇所を切り欠いて切欠き溝とすることで、残りの補強リブ３８を有する部分に対して剛性が下がった脆弱部３７が、該蓋体３５の相対する端縁に形成されている。そこで、前記蓋体３５は、前記中心線Ｓを中心として弾性的に撓み変形可能となる。
【００２１】
次に、図３を参照しながら本実施形態に係るヒュージブルリンク３１の組立手順を説明する。
先ず、図３（ａ）に示したように、ヒューズ本体３２を上方開口部４５からハウジング３３内に挿入して収容保持させる。
【００２２】
そして、該ハウジング３３の上方開口部４５をカバー３４の蓋体３５で覆うと共に、該蓋体３５の外面を押圧付勢し、各ロック片３６を係止用突起４６に係止させる。
この際、カバー３４の各ロック片３６は、上述した如く著しく短く構成されているので、前記各係止用突起４６に対して解除方向に殆ど撓むことができないが、図３（ｂ）に示したように、蓋体３５自体が脆弱部３７において弾性的に撓み変形することで、各ロック片３６はハウジング３３の周壁に突設された各係止用突起４６に対して解除方向（図３中、左右方向）に変位することができる。
【００２３】
そこで、各係止用突起４６を乗り越える為に変位させられるロック片３６自体には、過大な力が作用することはなく、破損を防止することができる。
従って、ロック片３６が短いカバー３４を備えたコンパクトなヒュージブルリンク３１を得ることができる。
【００２４】
そして、上述の如き短いロック片３６を備えたヒュージブルリンク３１は、図４に示したように、リレーボックス等の電気接続箱に形成されたヒューズ装着部１３に装着した際も、ロック片３６がヒューズガイド壁１４の上端縁に干渉せず、ヒューズ装着部１３の正規位置に装着することができる。
そこで、ヒューズガイド壁１４の高さを低くしたり、干渉を防止する切欠き部を設けるなどの対策が不必要になり、電気接続箱本体を成形する成形金型の変更や複雑化を招くことがないので、大幅なコストアップを招くこともない。
【００２５】
従って、本実施形態のヒュージブルリンク３１は、図６に示した従来のヒュージブルリンク１に比べて大幅に小型・軽量化することができ、特に高さ寸法が削減されることによって電気接続箱のカバーを低くできるので、電気接続箱の小型・軽量化を達成することもできる。
【００２６】
尚、本発明のヒューズに係るヒューズ本体、ハウジング、カバー、蓋体、ロック片及び脆弱部等の構成は、上記実施形態の構成に限定されるものではなく、本発明の趣旨に基づいて種々の構成を採りうることは言うまでもない。
例えば、図５に示したカバー５４における脆弱部５７は、略矩形板状の蓋体５５における一対のロック片３６，３６の間を通る中心線Ｓに沿って凹設された切欠き溝から成り、該蓋体３３が前記中心線Ｓを中心として弾性的に撓み変形可能とされている。勿論、切欠き溝の断面形状等も、種々の形状を採りうる。
【００２７】
又、上記実施形態におけるヒュージブルリンク３１のヒューズ本体３２は、可溶導体部４０の両端に一対の雌端子部４１，４１を一体形成したものであるが、可溶導体部の両端に所謂ねじ止め端子を一体形成したものでも良い。
また、可溶導体部の構成も、第１溶断部及び第２溶断部を装備した構成のものでも良い。
【００２８】
【発明の効果】
上述した如き本発明のヒューズによれば、カバーのロック片が短くされた場合にも、蓋体自体が脆弱部において弾性的に撓み変形することで、各ロック片はハウジングの周壁に突設された各係止用突起に対して解除方向に変位することができる。
そこで、各係止用突起を乗り越える為に変位させられるロック片自体には、過大な力が作用することはなく、破損を防止することができる。
従って、破損が防止されると共に短くされたロック片を有するカバーを備えて小型・軽量化を図ることができる良好なヒューズを提供できる。
【図面の簡単な説明】
【図１】本発明の一実施形態に係るヒューズの分解斜視図である。
【図２】図１に示したヒューズにおけるカバーの内面側斜視図である。
【図３】図１に示したハウジングにカバーを取付ける際の作用を説明する部分断面正面図である。
【図４】図１に示したヒューズをヒューズ装着部に装着した状態を示す部分断面図である。
【図５】図２に示したカバーの変形例を示す斜視図である。
【図６】従来のヒューズの全体斜視図である。
【図７】図６に示したヒューズをヒューズ装着部に装着した状態を示す部分断面図である。
【図８】ヒューズを小型化した際の課題を説明するための断面図である。
【符号の説明】
３１　　ヒュージブルリンク（ヒューズ）
３２　　ヒューズ本体
３３　　ハウジング
３４　　カバー
３５　　蓋体
３６　　ロック片
３７　　脆弱部
４５　　上方開口部
４６　　係止用突起
【図１】
2004006121.tif 000003
【図２】
2004006121.tif 000004
【図３】
2004006121.tif 000005
【図４】
2004006121.tif 000006
【図５】
2004006121.tif 000007
【図６】
2004006121.tif 000008
【図７】
2004006121.tif 000009
【図８】
2004006121.tif 000010